(57)【要約】【課題】装置ベース部とこれに差し込み接続可能なハンドル及び／又はアダプタユニットとの間の信号伝送に関して、この種の真空掃除機を可能な限り簡易な構成で改良すること。【解決手段】電動モータを有する装置ベース部（２）と、これと差し込み接続可能であって操作グリップ（７）を有するハンドル（６）及び／又は電動モータへの入力を制御するための状態検出ユニットを有するアダプタユニット（９）とを備え、電動モータの入力を制御するために必要とされる信号が、ハンドル（６）及び／又はアダプタユニット（９）から装置ベース部（２）に導かれ、装置ベース部内に信号受光器が設けられている真空掃除機（１）において、装置ベース部（２）内に光源（１０）が信号源として配置され、装置ベース部（２）によって出射された光に作用することによって信号が生成され、そして信号受光器が光センサ（１２）であるように構成される。【選択図】図２
2008532664.tif 000002
【特許請求の範囲】
【請求項１】
電動モータを有する装置ベース部（２）と、これと差し込み接続可能であって操作グリップ（７）を有するハンドル（６）及び／又は電動モータへの入力を制御するための状態検出ユニットを有するアダプタユニット（９）とを備え、電動モータの入力を制御するために必要とされる信号が、ハンドル（６）及び／又はアダプタユニット（９）から装置ベース部（２）に導かれ、装置ベース部内に信号受光器が設けられている真空掃除機（１）において、
装置ベース部（２）内に光源（１０）が信号源として配置され、装置ベース部（２）によって出射された光に作用することによって信号が生成され、そして信号受光器が光センサ（１２）である、ことを特徴とする真空掃除機。
【請求項２】
信号への作用が、単に作用部材（１３）の機械的な切替えによって実現されている、ことを特徴とする請求項１に記載の真空掃除機。
【請求項３】
作用部材（１３）が、反射板（１１）であることを特徴とする請求項１又は請求項２に記載の真空掃除機。
【請求項４】
信号源（１０）と作用部材（１３）との間に、光導波部材（１４）が配置されていることを特徴とする請求項１乃至請求項３のいずれか１項に記載の真空掃除機。
【請求項５】
光導波部材（１４）が、光ファイバであることを特徴とする請求項１乃至請求項４のいずれか１項に記載の真空掃除機。
【請求項６】
光導波部材（１４）が、ガラス部材であることを特徴とする請求項１乃至請求項４のいずれか１項に記載の真空掃除機。
【請求項７】
光導波部材（１４）が、光チューブであることを特徴とする請求項１乃至請求項４のいずれか１項に記載の真空掃除機。
【請求項８】
光導波部材（１４）が、透明樹脂部材であることを特徴とする請求項１乃至請求項４のいずれか１項に記載の真空掃除機。
【発明の詳細な説明】
【技術分野】
【０００１】
本発明は、電動モータを有する装置ベース部と、これと差し込み接続可能であって操作グリップを有するハンドル及び／又は電動モータへの入力を制御するための状態検出ユニットを有するアダプタユニットとを備え、電動モータの入力を制御するために必要とされる信号が、ハンドル及び／又はアダプタユニットから装置ベース部に導かれ、装置ベース部内に信号受光器が設けられている真空掃除機に関する。
【背景技術】
【０００２】
この種の真空装置は知られている。電動モータ及びさらに好ましくはファンを備えた装置ベース部と、さらに好ましくは操作グリップを有するハンドル又はアダプタユニットとの間の信号伝送のために、ハンドルと装置ベース部との間又は装置ベース部とアダプタユニットとの間の差込み接続部内の対応する差込み部又は差込み受部内に入っていくケーブルを設けることは知られている。ここにおいて、操作グリップを介して設定された信号は、ケーブルを介して装置ベース部に導かれ、信号受信機によってこれに応じて評価される。例えば、床面の質に応じて信号を発生させ、その信号をケーブルを介して装置ベース部に伝送するアダプタユニットに対しても、同様に有効である。これに応じて、装置ベース部の吸取りホースが、掃除する床面に調節されているのでもよい。また、これに関しては、信号伝送に赤外光を使用することも知られているが、ここにおいては、一方に送信用光源が他方に受光器が配置されている。ここで、例えば特許文献１を参照されたい。この種の構成は、それに応じた欠点が明らかになっている、何故ならば、送信用光源又は受光器に給電するため、電動モータを有する装置ベース部の他に、装置ハンドル又はアダプタユニット等の他の差込み接続可能な部分にも、電源から給電できなければならないからである。
【特許文献１】ドイツ国公開第６９２１８３５７Ｔ２号公報
【発明の開示】
【発明が解決しようとする課題】
【０００３】
上記の技術の現状に鑑み、本発明の技術的課題は、装置ベース部とこれに差し込み接続可能なハンドル及び／又はアダプタユニットとの間の信号伝送に関して、この種の真空掃除機を可能な限り簡易な構成で改良することにある。
【０００４】
この課題は、まずそして根本的に請求項１の対象によって解決されるが、ここにおいて、装置ベース部内に光源が信号源として配置され、装置ベース部によって出射された光に作用することによって信号が生成され、そして信号受光器が光センサであることが企図されている。本発明によるこの構成の結果、電気系と異なる構成であって広い信号領域を有するものを介して動作可能な信号伝送を実現できる。装置の基部をなす装置ベース部には、必要に応じて変調し又必要に応じて可干渉性の光を出射する光源が配置されている。装置ベース部内には、光源の他に受光センサ、例えばホトダイオード、が配置され、受光センサは、変調された光又は反射された光を受光可能であり、さらに装置ベース部側の電動モータに作用するために評価の処理が行われる。この結果、電気的に作動する伝送信号処理回路の構成部が、原則、いずれにしても電源と接続される装置ベース部内に配置されている。これに対して差込み接続可能な他の掃除機部分、特に操作ハンドル及び／又はアダプタユニット等は、所望の信号伝送のために他の電源を必要としない。また、その限りでは、特に、装置ベース部とハンドルとの差込み接続は、全く機械的、即ち、電気的な差込みプラグ無しに実現可能である。そのようなものは、確かに装置ベース部とアダプタユニットとの間の差込み接続部内に設けることができるが、通常、例えば電動モータ駆動のブラシ又は同様のものを有するアダプタユニット内に設けられるのでもよい。これによって、電力供給を受けるアダプタユニットと単なる吸込みノズル型のアダプタとの両方に適用可能なシステムが実現される。光源によって出射される光は、アダプタユニット又は信号伝送用の装置部分によって通常作用を受け、信号受光器又は光センサの方向に向けられる。
【０００５】
他の請求項の対象は、以下に請求項１の対象と関連して説明されるが、それらの独立形式においても重要である。また、信号への作用が、通常、作用部材の機械的な切替えによって達成されるように、企図される。後者は、例えば、ハンドル側の操作グリップ部において、例えば更に指操作可能でスライド部材又は同様のものの態様の切替部材を介して、その向き及び位置について切り替え可能であり、これが装置ベース部によって出射される光に対する作用に再び影響する。変化された光を利用し、光センサを介して、作用部材の個々の状態が検出可能である。アダプタユニット部内において、作用部材は、例えば、減圧によって作動するレバー又は同様のものを介して切り替えられ、吸込み口内で支配的な減圧に依存して作用部材の対応する切替えが達成され、作用部材の状態が、作用を受けた光を受光する光センサを介して電動モータの制御信号に変換される。最も簡易な態様において、作用部材は、反射板であってもよい。例えば、光学鏡、レンズ、又はプリズムでもよい。また、光路上に、複数の同様の光学素子又はこれらの組み合わせが設けられるのでもよい。ここにおいて、最も簡易な態様では、光は、信号源と作用部材との間及びこれ（作用部材）から後方に光センサに向けて、空気中を通過する。代わりに、光源と作用部材との間に、１つの光導波部材、さらには例えば２つの導波部が設けられ、１つの導波部材は光源と作用部材との間に、１つの光導波部材は作用部材と光センサとの間に設けられる。又、光導波部材がたった１つで、光が周期的に出射されて受信される構成も考えられる。ここにおいて、光導波部材は、光ファイバでも、他のガラス部材でもよい。さらに、光導波部材は光チューブとしても構成される。また、光導波部材は透明樹脂部材であってもよい。光の変調は、光路長の変化、例えば、角度変化又は減衰を介して干渉を強める又は弱めること、によって実現される。光路長変化又は角度変化に、好ましくは、マイケルソン干渉計又はファブリーペロー干渉計の原理が適用されるのでもよい。通常、これらの光学系は、相互に所定の間隔で取り付けられ平行な２つの成膜された鏡からなる。さらに、これらの鏡は、シリコンからなるのでもよい。装置ベース部と、差込み接続可能でリモートセンシングを介して長さの変更が可能なハンドルとの間の信号伝送において、本発明はさらにこれに応じた利点が明らかである、何故ならば、繰り返し生ずる干渉に基づいて、信号がハンドルの最下位の遠隔位置においても、明確であるからである。また、鏡光学系−光路屈曲光学系を介して、入射光が装置ベース部内でセンサアレー上に偏向され、もって操作グリップ部におけるスライドレバーの異なる位置が送信されるのでもよい。
【０００６】
以下、本発明は、全部で２つの実施例が図示された付随の図面を参照してより明らかにされる。
まず、図１に関連して、ハンドル操作型掃除機として実現される真空掃除機１、特に家庭用真空掃除機が図示され、記載されている。これは、詳細には図示しない電動モータ及び吸込みユニット／ファンユニットを有する装置ベース部２を備える。装置ベース部２には、吸い込まれた物を収容するためのフィルタカセット３が差し込まれている。
【０００７】
装置ベース部２内に一体に形成された電動モータへの給電は、装置ベース部２に伸びていく電気ケーブル４を介して実現される。
【０００８】
さらに、装置ベース部２は、フィルタカセット３に伸びていく長首状の延長ユニットを有する。この延長ユニットは、開放端に、真空掃除機１のハンドル６用のパイプ受部５が形成されている。パイプ受部５とハンドル６の配置された端部は、公知の態様で差込み接続部材が形成されている。
【０００９】
ハンドル６の開放端部には、操作グリップ７が形成されている。これは、人間工学上好ましい位置に、好ましくは指操作可能な入力設定部８を有する。後者を介して、装置ベース部２内に収容された電動モータの入力電力の設定が可能であり、その結果、真空掃除機１の吸い込み特性が入力設定部８を介して、例えば床面に調整可能となっている。
【００１０】
床掃除のために、装置ベース部２は、図示しない実施例において、回転ブラシを有する吸い込みノズルとして形成されたアダプタユニット９と、通気的に接続されている。
【００１１】
装置ベース部２内に収容された電動モータの入力制御は、操作グリップ側の入力設定部８のみを介して実現されるのではなく、電動モータの制御のために、例えば掃除する床の質について、情報を装置ベース部２に出力するアダプタユニット９を介しても可能である。
【００１２】
電動モータの制御のために、ハンドル６又はアダプタユニット９から装置ベース部２に信号が導かれ、底で信号受光器によって検出される。検出された信号は、電動モータ制御用の電子評価回路によって使用される。
【００１３】
図２及び図３に、装置ベース部２とハンドル６の操作グリップ７との間で機能する、第１の実施例に係る信号装置が図示されている。この信号装置は、入力設定部８のスライド位置の検出に役立つ。このために、装置ベース部２内に、まず、光源１０が信号源として設けられ、これが、ハンドル６を差込み保持する、装置ベース部２のパイプ受部５内に配置されている。光源１０から出射された光は、管状のハンドル６を真っ直ぐに入力設定部８内まで通過し、後者は自己の管の内側に反射板１１が連結されている。これは、最も簡易な構成では、鏡又はレンズであってもよい。入力設定部８のスライド的な切り替えに応じて、反射板１１もまた切り替えられ、光の進行方向が切り替えられる。
【００１４】
その結果、反射鏡１１は光源１０によって出射された光を反射し、反射された光は装置ベース部２の方向に応じて戻る。光源１０の近傍に、光源センサ１２が信号受光器として配置されている。これは、反射された光を受光して、評価結果に変換する。ここにおいて、入力設定部８、同様に反射板１１の切り替えによって達成される光路長の変化が、検出される。ここにおいて、特に、マイケルソン干渉計又はファブリーペロー干渉計の原理が導入されている。継続的に繰り返している干渉に基づいて、ハンドル６の最下位の遠隔位置が明らかになる。
【００１５】
図４及び図５は、第１の実施例と同様に光が装置ベース部２によって出射される第２の実施例を示す。ここでは、しかしながら、光源１０と作用部材１３（反射板１１）との間及び作用部材１３と光センサ１２との間に、それぞれ例えば光ファイバ等の光導波部材１４が設けられている。この構成によって、光源１０又は光センサ１２と作用部材１３とを結ぶ光路が厳格に直線である必要がないようにできる。むしろ、そのような光導波部材１４を有するハンドル６は、多分に曲がった部分を有する。
【００１６】
本発明の構成によって、ハンドル６、特に操作グリップ７及び入力設定部８は電流を流すことなく保持できる。また、ハンドル６と装置ベース部２との差込み接続部内おいて、電気的な差込みプラグ又は同様のものを排除できる。
【００１７】
さらに、上記の信号装置はまた、装置ベース部２とアダプタユニット９との間の接続部に、特に光導波部材が橋渡しするように設けることができ、作用部材１３がアダプタユニット側で例えば減圧で作動して切り替え可能になっている。
【００１８】
また、本発明の構成によって、装置ベース部２からハンドル６、特に操作グリップ７、内へのエネルギーの伝送が実現可能である。例えば、操作グリップ７内に設けられエネルギーを発生する例えば太陽電池等の光受光素子によって。これでもって、さらに、例えば、操作グリップ７内に配置された表示素子に電流を供給し、又は、ハンドグリップ内に光信号の電子処理回路を実現できる。
【００１９】
全ての開示された特徴は、（それ自身が）発明の要部をなす。これでもって、出願の開示において、付随／同封の優先権の基礎書面（先の出願のコピー）の公開内容は、また十分に取り込まれ、この書面の目的及び特徴に関しても、また、先の出願の特許請求の範囲内に含まれている。
【図面の簡単な説明】
【００２０】
【図１】この種の真空掃除機の斜視図である。
【図２】真空掃除機のハンドル及び、第１の実施例に係る信号装置を有する真空掃除機の装置ベース部の上方部分の図である。
【図３】図２のＩＩＩ−ＩＩＩ部分の拡大斜視図である。
【図４】図２に対応し、第２の実施例に係る信号装置に関する図である。
【図５】図４のＶ−Ｖ部分の拡大斜視図である。
【符号の説明】
【００２１】
１  真空掃除機
２  装置ベース部
３  フィルタカセット
４  電気ケーブル
５  パイプ受部
６  ハンドル
７  操作グリップ
８  入力設定部
９  アダプタユニット
１０  光源
１１  反射板
１２  光センサ
１３  作用部材
１４  光導波部材
【図１】
2008532664.tif 000003
【図２】
2008532664.tif 000004
【図３】
2008532664.tif 000005
【図４】
2008532664.tif 000006
【図５】
2008532664.tif 000007
【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
電動モータを有する装置ベース部（２）と、これと差し込み接続可能であって操作グリップ（７）を有するハンドル（６）及び／又は電動モータへの入力を制御するための状態検出ユニットを有するアダプタユニット（９）とを備え、電動モータの入力を制御するために必要とされる信号が、ハンドル（６）及び／又はアダプタユニット（９）から装置ベース部（２）に導かれ、装置ベース部内に信号受光器が設けられている真空掃除機（１）において、
装置ベース部（２）内に光源（１０）が信号源として配置され、装置ベース部（２）によって出射された光に作用することによって信号が生成され、そして信号受光器が光センサ（１２）である、ことを特徴とする真空掃除機。
【請求項２】
信号への作用が、単に作用部材（１３）の機械的な切替えによって実現されている、ことを特徴とする請求項１に記載の真空掃除機。
【請求項３】
作用部材（１３）が、反射板（１１）であることを特徴とする請求項２に記載の真空掃除機。
【請求項４】
信号源（１０）と作用部材（１３）との間に、光導波部材（１４）が配置されていることを特徴とする請求項２又は請求項３に記載の真空掃除機。
【請求項５】
光導波部材（１４）が、光ファイバであることを特徴とする請求項４に記載の真空掃除機。
【請求項６】
光導波部材（１４）が、ガラス部材であることを特徴とする請求項４に記載の真空掃除機。
【請求項７】
光導波部材（１４）が、光チューブであることを特徴とする請求項４に記載の真空掃除機。
【請求項８】
光導波部材（１４）が、透明樹脂部材であることを特徴とする請求項４に記載の真空掃除機。
【国際調査報告】
2008532664.tif 000008
2008532664.tif 000009
2008532664.tif 000010
2008532664.tif 000011